(57)【要約】      （修正有）【課題】患者が上半身挙上伏臥姿勢等に就くことを容易にするベッド装置の提供。【解決手段】床部分が、隣接する棒状体３が相互に連結された棒状体群と、該相互に連結された棒状体群の両端に設けられた終端部５とで形成され、該両終端部の間に、任意の開口を設けることができる。これら相互に連結された棒状体群および終端部５はそれぞれ連結方向に移動可能とされている。棒状体３と棒状体３は、連結された棒状体群が水平位置より下方には湾曲不能で上方には湾曲可能に連結されており、棒状体群および両終端部の連結方向への移動を、両終端部をそれぞれ単独にまたは同調して移動可能とするとともに移動速度を調節可能とする動力源から機械的伝動移動手段を用いて行う。【選択図】図１
2007236712.tif 000002
【特許請求の範囲】
【請求項１】
床部分が、隣接する棒状体が相互に連結された棒状体群と、該相互に連結された棒状体群の両端に設けられた終端部とで形成され、該両終端部の間に、任意の開口を設けることができるとともに、これら相互に連結された棒状体群および終端部はそれぞれ連結方向に移動可能とされているベッド装置であって、棒状体と棒状体は、連結された棒状体群が水平位置より下方には湾曲不能で上方には湾曲可能に連結されており、棒状体群および両終端部の連結方向への移動を、両終端部をそれぞれ単独にまたは同調して移動可能とするとともに移動速度を調節可能とする動力源から機械的伝動移動手段を用いて行う
ことを特徴とするベッド装置。
【請求項２】
棒状体群および両終端部で形成された床部分の、両終端部はフレームの一部で支持され、棒状体群の両終端部に対向する床部分端部が端部昇降手段で支持され、該端部昇降手段により終端部を支点として床部分端部を昇降可能とするとともに、終端部と床部分端部の中間部を、床部分中間部昇降手段で昇降可能とする
ことを特徴とする請求項１記載のベッド装置。
【請求項３】
床部分の下に準備した用具の端部を把持し、床部分の両終端部の間に設けた開口を通じて、床部分上に該用具の端部を移動させて保持する用具揚上保持手段を備えた
ことを特徴とする請求項１または２記載のベッド装置。
【請求項４】
床部分の上部がシート状体である
ことを特徴とする請求項１〜３のいずれかに記載のベッド装置。
【発明の詳細な説明】
【技術分野】
【０００１】
本発明は、自力では寝返りをすることも困難な重度の身障患者（以下「重症患者」とする）の療養看護および生活介護（以下「看介護」とする）を行うに際し、重症患者並びに看介護者の負担を軽減し、重症患者の健康を維持、改善させることができるベッド装置に関する。
【背景技術】
【０００２】
重症患者を看介護することは看介護者にとって多大の肉体的、精神的負担となるものである。それ故に、看介護を行うに際してはできるだけ効果的且つ少ない労力で実施できることが望ましい。そこで、従来から重症患者並びに介護者双方の負担を著しく軽減させることを目的とした介護用ベッドに用いる技術が提案されている（特許文献１参照。）。
該技術によればベッドの床部分が移動変形することにより、重症患者がベッドから降りる必要なくして敷物を交換し、上体を起こし、排泄を行い、入浴すること等が可能である。
【特許文献１】特開平５−７６５７０号公報（特許第２９９１５４８号）
【発明の開示】
【発明が解決しようとする課題】
【０００３】
上記特許文献１に係る発明である介護用ベッドは、床部分に任意の開口の間隙を設け、該間隙を移動させることにより敷物を交換し、入浴介護を行い、また、床部分がフレームの一部を構成する上部レールに架け渡して形成され、該上部レールの設定位置からの曲折により背上げして上体を起こし、下脚を下げて大便器を用いた排泄を容易にするなど、重症患者並びに介護者の負担を著しく軽減させるものであるものの、重症患者に多い症状等の経時変化や多様性に、適時追随した作動調整による用具の迅速な交換や位置合わせ、或いは体位を変化させることなく長時間就褥することに伴う褥そうや関節拘縮等の発生の問題を、充分に解決するものではない。
【０００４】
安全性、快適性により優れた看介護のために、敷物や浴槽や便器等の用具を交換する際、より早くよりスムーズに交換でき、おむつ交換の際臀部の位置関係をより適切に調節できて体重負荷を軽減して容易にし、背上げの際床の枕載置部分は水平を保って枕の落下を防止し、或いは膝部を上昇させて楽な姿勢やマットレスのずり下がりを防止し、褥そう予防を兼ねる体位変換を容易に或いは自動化にする等、ベッド装置に更にきめ細かい動作や機能が求められる。
【０００５】
また、重症患者の心身機能の維持、改善、回復に優れた効果が認められるとして、上半身挙上伏臥位等を用いる腹臥位療法が提唱されている。この療法は、重症患者が伏臥した状態で上半身を高位置にする姿勢を一定時間とることによって実施されるものであるが、関節拘縮を消失させ誤えんを防ぐ効果を含め寝たきり廃用症候群の予防、軽減、治癒に顕著な効果を期待し得るもので、既に複数その報告がなされている。なお、上半身挙上伏臥位は喘息発作時にも有効に用いられる。
【０００６】
ところが重症患者に上半身挙上伏臥位をとらせるには、このための姿勢に移動移転し保持されねばならず、看介護者一人では困難であり、一方重症患者にとっても安全且つ快適に上半身挙上伏臥姿勢を確保できるような床形状を、通常のベッドで実現するのは容易ではないという問題もある。
【０００７】
そこで、本発明は上記特許文献１である公報に係る技術である介護用ベッドの介護者の負担を軽減する機能をさらに発展向上させ、重症患者の日常生活上で求められる多用なニーズにより早くよりきめ細かく対処できるとともに、腹臥位療法施療や喘息発作の緩和等の際、重症患者が上半身挙上伏臥姿勢等に就くことを容易にし、さらに温和な質感を可能とするベッド装置を提供し、重症患者をより一層安全快適で効果的に看介護することを目的とする。
【課題を解決するための手段】
【０００８】
上記の目的を達成するために、本発明のベッド装置は床部分が、前後または左右に隣接する棒状体が相互に連結された棒状体群と、該相互に連結された棒状体群の前後または左右両端に設けられた終端部で形成され、該前後または左右両終端部の間に、任意の開口を設けることができるとともに、これら相互に連結された棒状体群および終端部はそれぞれ前後または左右方向に移動可能とされているベッド装置であって、棒状体と棒状体は、相互に連結された棒状体群が水平位置より下方には湾曲不能で上方には湾曲可能に連結されており、相互に連結された棒状体群および前後または左右両終端部が、それぞれ単独にまたは同調して前後または左右方向に移動可能とするとともに移動速度を調節可能とする動力源の動力を機械的手法で伝動した移動手段で移動することを特徴とする構成とすることができる。
【０００９】
また、棒状体群および前後または左右両終端部で形成された床部分の前後または左右両終端部はフレームの一部で支持され、棒状体群は終端部の前後又は左右に対向する床部分端部が床部分端部昇降手段で支持され、該床部分端部昇降手段により終端部を支点として床部分端部を昇降可能とし、さらに終端部と床部分端部との中間部を、床部分中間部昇降手段で昇降可能とすることを特徴とする構造とすることができる。
【００１０】
また、本発明のベッド装置は床部分の下に準備した交換用敷物等の用具の端部を把持し、床部分の両終端部の間に設けた開口を通じて床部分上の任意の位置へ用具の端部を揚上移動し、保持する手段を備えることを特徴とする構成とすることができる。
【００１１】
また、本発明のベッド装置において、好ましくは床部分の上部がシート状体で構成されていることを特徴とすることができる。
【発明の効果】
【００１２】
本発明のベッド装置によれば、実務難度が高い重症患者の看介護に際し、安全性が高く、有効的、合理的、省力的なハード面からの看介護技術を提供し、患者並びに看介護者双方の心身負担を軽減することが可能である。さらに、同じく難度が高い重症患者の廃用症候群への処置・治療に、高い有効性が報告されている新療法にも、ワンタッチで最適に対応できる画期的機能と、喘息発作時の有効対処機能を有する。加えて、重症患者に多いニーズの多様性や経時変化に応じた機能選択が可能で、所要の費用、スペースを最低にすることが実現されるため、特に重症患者の在宅全日看介護において、一般的住宅事情にも唯一応えることが可能なベッド装置である。
【発明を実施するための最良の形態】
【００１３】
以下、本発明に係るベッド装置の実施例を図面に基づきさらに詳細に説明する。なお、ここで言う前後とは、ベッド装置に患者が仰向きに寝ている状態で、患者の頭部側を前、足部側を後とする。また、左右とは同じく患者の右手側を右、左手側を左とする。
さらに、本発明のベッド装置においては、床を形成する棒状体群は上記の前後方向に隣接し前後方向に移動する機構のタイプだけを記載説明しているが、該記載説明したことに限定されることなく、例えば左右方向に隣接し左右方向に移動する機構のタイプも包含していることは言うまでもない。
【００１４】
図１および図２に示すように、ベッド装置１の床部分は棒状体であるボトム部材３…により構成され、該ボトム部材３…は連接部材４…により一定間隔をもって並行に且つ水平位置より下方には湾曲不能で上方には湾曲可能に連結され、フレーム上部の終端部において一例としてのボトム終端ローラー５、５と、アーム５ａ、５ａを介して接続される。
【００１５】
また図１，２，７に示すように、ベッド装置１は上記床部分の他、サイドフレーム６、ガイドフレーム７、ヘッドフレーム（不図示）、フットフレーム（不図示）からなるフレーム、並びに、棚１１、交換物揚上保持手段１２、機械的伝動（機動）移動手段１３、動力装置１４、動力リンク１６、先端昇降アーム２０、前ボトム中間昇降アーム２５、後端昇降アーム３０、後ボトム中間昇降アーム３５により構成される。機械的伝動移動手段１３は、中空軸モータ１３ａ、チェン用スプロケット１３ｂ、このチェン用スプロケット１３ｂに掛け回されたチェン１３ｃにより構成されている。
【００１６】
図２に示すボトム終端ローラー５、５は、中心軸を左右方向に貫通するボトム終端ローラー固定軸５ｂ、５ｂに対して自由に回転可能であり、ボトム終端ローラー固定軸５ｂ、５ｂはサイドフレーム６上のレール６ａ、６ａにて支持されている。ボトム終端ローラー５、５の前後方向への移動は、機動移動手段１３のチエン或いはねじ軸等の機械的伝動手段によって、ボトム終端ローラー固定軸５ｂ、５ｂを移動させることにより行われる。
【００１７】
前記特許文献１に係る発明では図２および図３に示すように、ボトム終端ローラー固定軸５ｂ、５ｂの左右端部に各ピニオン２４、２４が取付けられ、サイドフレーム６上のラック６ｂに組合わされて、手動或いはモーターローラー等でピニオン２４、２４を回転させ、固定軸５ｂ、５ｂを、移動させていた。このため、電力や制御系電線を固定軸５ｂ、５ｂ近傍へ配線することに伴って移動することを要したが、該配線の移動を本機動移動手段１３の機械的伝動機構により不要になるため、安全面、メンテナンス面、コスト面等で大きく改良されている。
【００１８】
なお、機動移動手段１３は、ベッド装置１の床部分およびボトム終端ローラー５、５を夫々独立して、前後方向に移動および移動速度調整可能とするとともに、独立して移動および移動速度調整可能とすることで、ボトム終端ローラー５、５の間に任意の大きさの開口５１を、随時・スピーディに開閉することができる。また、プログラマブルコントロール機能も備え、予め設定することにより、上記開口５１の大きさや移動速度・移動範囲・移動回数等を自動的に操作して、重症患者の褥そう予防やリハビリを、またセンサーの適切な併用で、おむつ交換や便器使用時の位置合せ等を、自動化することもでき、看介護の容易性が向上する。
【００１９】
つぎに図４〜６に基づき、ボトム前端昇降アーム２０、ボトム後端昇降アーム３０、前ボトム中間昇降アーム２５、後ボトム中間昇降アーム３５の動作機構について、駆動力の伝達にリンクを用いた例で説明する。なお図示の例においては、先端昇降アーム２０、後端昇降アーム３０が、請求項２における端部昇降手段を構成する。３ａは、前側の終端部５に対向する床部分端部であり、３ｂは、後側の終端部５に対向する床部分端部であり、この床部分端部３ａ、３ｂの位置は、端部昇降手段の昇降動作に応じて変わる。３ｃは、前側の終端部５と床部分端部３ａとの中間部であり、前方傾斜ガイド５０と、前ボトム中間昇降アーム２５とにより床部分中間部昇降手段が構成されている。図４〜６は左右対称構造であるベッド装置１の左右中心断面を、右側からみた断面図である。図４は動力装置１４が作動せず、従って動力装置アーム１５、動力リンク１６が共に作動していない状態を示しており、床部分が平面である場合の各アームの状態を示していて、各アームの先端部に設けている各回転軸、即ちボトム先端昇降アーム回転軸２０ａ、ボトム後端昇降アーム回転軸３０ａ、前ボトム中間昇降アーム回転軸２５ａ、後ボトム中間昇降アーム回転軸３５ａの高さが同一水平面にあり、各回転軸に架け回される床部材の高さも等しくなり、水平な床面が形成され、通常の仰臥に適するとともに、伏臥位の基本位にも用いる。動力装置アーム１５は、軸１５ａを中心に回転し、動力リンク１６はフレームに対し前後方向に移動可能に支持されている。
【００２０】
図５は動力装置１４を作動して床形状を変化させる一例をリンク類、アーム・回転軸類だけを抽出した状態で示す。図において支持軸２０ｂ、支持軸２５ｂ、ボトム後端昇降アーム軸３０ｂ、支持軸５０ｂは、フレームに回転可能に設けられた支点である。動力装置１４が作動することにより動力装置アーム１５が時計回りに回転し、動力リンク１６が前方に移動すると連結部２０ｃも前方に移動し、ボトム先端昇降アーム２０が支持軸２０ｂを支点として時計回りで上方に立上がる。同時に前部ガイドリンク６０も、前部連結部６０ｃが前方に移動することにより後部連結部６０ｂとともに前方に移動し、支持軸５０ｂを持つ前方傾斜ガイド５０を、支持軸５０ｂを支点として時計回りで上方に立上げ、これにより上位置にある前ボトム中間昇降アーム２５を、支持軸２５ｂを支点として同じく時計回りで上方に立上げる
【００２１】
ここで、前方傾斜ガイド５０の先端に設けられた上部ローラー５０ａと前ボトム中間昇降アーム２５との間に、作動前には空間が存在している〔図４参照〕ので、上部ローラー５０ａは作動後直ちに前ボトム中間昇降アーム２５には接触せず、前方傾斜ガイド５０が一定の高さまで引起こされた後に、時間差をもって前ボトム中間昇降アーム２５が立上がり始めるため、床部分が二段階の傾斜をもつこととなり、この形状により、重症患者が上半身挙上伏臥位をとるのに最適な床面が形成される。また、該時間差を調整することにより、患者の身長等の個人差にも対応・適合できるし、前ボトム中間昇降アーム２５の長さを調節することで、枕を保持した背起をすることもできる。
【００２２】
次に、図６でボトム後端昇降アーム３０の動作機構について説明する。ボトム後端昇降アーム３０については、専ら下脚下げを行うもので、床面を水平状態からボトム後端を下げる動作であり、主として一部の体調等の良い重症患者向きの、便器使用排泄時に背起しとともに使用される形態で、予めボトム終端ローラー５、５は重症患者の局部に移動して便器の寸法に合致した開口５１を設け、該開口５１の左右中央に便器昇降架台（図示せず）に載置した便器（図示せず）を準備し、適切な高さに上昇させておくこととする。この際、便器を局部に正確に位置合せをするのに、先ず前後方向をボトム終端ローラー５、５を機動移動手段１３で迅速・精度良く設定できるので、左右方向だけ位置・状況を見ながら手動で行えばよい。
【００２３】
なお、動力装置１４を作動して動力装置アーム１５が時計回りに回転し、動力リンク１６が前方に移動して連結部２０ｃも前方に移動し、ボトム先端昇降アーム２０が支持軸２０ｂを支点に時計回りで上方に立上がるが、動力リンク１６の後端部に設けられた長穴連結部１６ｓに、長穴部分には一定の摩擦抵抗はあるがそれ以上の力には滑るように、ボトム後端昇降アーム３０の連結部３０ｃが連結されていて、先端昇降アーム２０が一定の背起し状態になって以降、同調して時計回りに下降して下脚下げ状態になり、重症患者が移動することなく、便器使用の排泄を安全・安心、容易にできる。
【００２４】
また、比較的軽症の患者の中に、自身で操作して便器を使用し、処理することを望まれるケースも多いが、こうしたニーズにも対応可能になる。
【００２５】
続いて、後ボトム中間昇降アーム３５の動作機構について説明する。不要の連結部、前部ガイドリンクの前部連結部６０ｃおよびボトム後端昇降アームの連結部３０ｃの連結をOFFにした後、動力装置１４を作動し、ボトム先端昇降アーム２０と同調して後ボトム中間昇降アーム３５を昇降させることにより、背上げ・膝上げのリクライニング機能を標準的に用いることができるが、後ボトム中間昇降アーム３５を動力リンク１６から切離し、独自・専用の駆動装置（図示せず）を設け、該動作機構とボトム終端ローラー５の動作の組合せに依り、下肢の拘縮予防・改善等リハビリ機能に応用でき、更に機能を高めることができる。
【００２６】
図７は、交換品揚上保持手段１２を説明する図で、一例として棒状体群３…と両終端ローラー５、５で形成された床部分の後端部に両終端ローラー５、５を移動させたうえ、適宜の開口５１を設けた状態にするとともに、ベッド装置１の後方フレームに設けた交換品揚上保持手段１２の伸縮帯１２ａを、両終端ローラー５、５の適宜の開口５１の間から巻戻す用意をしておく。床部分の下に設けた手前に引出し可能な棚１１を設け、該棚１１上に空気を抜いたエアバス（エア式ポータブル浴槽）１８などの用具を所定通り置き、該エアバス１８の後端部を上記伸縮帯１２ａの先端にある把持部１２ｂで把持し、伸縮帯１２ａを巻揚げてエアバス１３の端部をボトム上の所定の位置まで揚上し保持した侭、両終端ローラー５，５を適宜の開口５１を保ちながら床部分の前端部まで移動することにより、適宜の開口５１の間から既設の敷物を足元端から剥がすように順次棚１１上へ降下させ、同時にエアバス１８を足元端から順次当てがうように床上へ揚上して、重症患者の何らの移動なく、身体の下側から安全・容易に既設の敷物とエアバス１８を交換でき、入浴に供することができる。
【００２７】
図８は請求項４記載の発明を説明する図で、円筒状に形成されて内面側が滑性に優れ外面側が不滑性のシート状体であるシート材７０を、ボトムの上部等に用いたベッド装置１の例であり、シート材７０は前方のボトム終端ローラー５を円筒内に入れた状態の後、上下に合わさって前方ボトム上を前方に進み、ボトム先端昇降アーム回転軸２０ａの個所で、ボトム部材の前端外周に沿って下方へ下がり、ガイドフレーム７上でボトム部材下を後方に進み、ガイドフレーム７上のボトム部材後端外周を上昇し、ボトム後端昇降アーム回転軸３０ａの個所でボトム上を前方に進み、後方のボトム終端ローラー５を円筒内に入れた状態にして取付けられている。
【００２８】
シート材７０は円筒状で内面が滑性なため、ボトムの動作・形状に容易に同調し、常時ボトムの表面を被うので、材質・表面の色彩・仕上げ等により好みに合わせた質感・感触が得られ、高機能によるベッド装置１のメカニカルなイメージを払拭することができる。また、ボトム部材３…にローラーを選択した場合、敷物交換系作業がよりスムーズになり、また背起し・上半身挙上の際敷物が後方へずれる場合があるが、シート材７０の使用により、交換系はスムーズでありながらずれは生じ難い効果もある。
【００２９】
次に、図９で請求項４記載の発明の他の実施例を説明する。シート材は裏面が滑性な一重のもので、ベッド装置１のボトム先端昇降アーム回転軸２０ａ部から前方のボトム終端部までの、前方床部分の上部にある前方床シート材８０ａと、後方のボトム終端部からボトム後端昇降アーム回転軸３０ａ部までの、後方床部分の上部にある後方床シート材８０ｂとがあり、いずれもボトム前後端部またはボトム前後終端部の一方を固定し、他方を巻取り・巻出し機に接続する。
【００３０】
図９では所定長さの前方床シート材８０ａの前方端を、ベッドの前フレームに取付けた前方巻取り・巻出し機８１ａに所定量巻いて接続し、後方端を前方ボトム終端ローラーの直前部の固定具８２ａに接続する。また、所定長さの後方床シート材８０ｂの前方端を、後方ボトム終端ローラーの直後部の固定具８２ｂに接続し、後方端をベッドの後フレームに取付けた後方巻取り・巻出し機８１ｂに所定量巻いて接続する。これにより上記シート材７０と同様の効能がある。また更に、巻取り・巻出し機８１ａおよび８１ｂの巻取り力を一定以上に強化または巻出しを一時ロックする手段により、ボトムの所要剛性強度を軽減することができる。
【図面の簡単な説明】
【００３１】
【図１】ボトム部材、連接部材、ボトム終端ローラーおよびアーム、動力リンク、各種昇降アームで構成した、床部分を要部としたベッド装置の、一部破断横断面図である。
【図２】ボトム部材、連接部材、ボトム終端ローラーおよび機械的伝動機構の、一部破断横断面図である。
【図３】従来のボトム終端ローラー駆動機構の、一部破断横断面図である。
【図４】全ボトム昇降アーム回転軸が水平状態の、横側面図である。
【図５】各ボトム昇降アーム回転軸が、上半身挙上伏臥位に最適な床面形状形成状態の、横側面図である。
【図６】各ボトム昇降アーム回転軸が、洋式大便器使用に最適な床面形状形成状態の、横側面図である。
【図７】交換物揚上保持手段で、重症患者の敷物を交換する一例として、エアバスの端部を把持して揚上保持した状態を示す、一部破断横断面図である。
【図８】シート材をボトムの上部に用いた一例のベッド装置の、一部破断横断面図である。
【図９】シート材をボトムの上部に用いた他の例のベッド装置の、一部破断横断面図である。
【符号の説明】
【００３２】
１    ベッド装置
３    ボトム部材
３ａ  床部分端部
３ｂ  床部分端部
３ｃ  中間部
４    連接部材
５    ボトム終端ローラー
５ａ  アーム
５ｂ  ボトム終端ローラー固定軸
６    サイドフレーム
６ａ  レール
６ｂ  ラック
７    ガイドフレーム
８    敷物
８ａ  使用中の敷物
１１    棚
１２    交換物揚上保持手段
１３    機械的伝動（機動）移動手段
１３ａ  中空軸モータ
１３ｂ  チェン用スプロケット
１３ｃ  チェン
１４    動力装置
１５    動力装置アーム
１６    動力リンク
１８    エア式ポータブル浴槽
２０    ボトム前端昇降アーム
２０ａ  ボトム前端昇降アーム回転軸
２０ｂ  支持軸（ボトム前端昇降アーム支点）
２５    前ボトム中間昇降アーム
２５ａ  前ボトム中間昇降アーム回転軸
２５ｂ  支持軸（前ボトム中間昇降アーム支点）
３０    ボトム後端昇降アーム
３０ａ  ボトム後端昇降アーム回転軸
３０ｂ  ボトム後端昇降アーム軸
３０ｃ  連結部
３５    後ボトム中間昇降アーム
３５ａ  後ボトム中間昇降アーム回転軸
３５ｂ  後ボトム中間昇降アーム支点
５０    前方傾斜ガイド
５０ａ  上部ローラー
５０ｂ  支持軸（傾斜ガイド支点）
６０    ガイドリンク
６０ｃ  ガイドリンク前部連結部
６０ｂ  ガイドリンク後部連結部
７０    シート材
８０ａ  前方床シート材
８０ｂ  後方床シート材
８１ａ  前方巻取り・巻出し機
８１ｂ  後方巻取り・巻出し機
８２ａ  固定具
８２ｂ  固定具
【図１】
2007236712.tif 000003
【図２】
2007236712.tif 000004
【図３】
2007236712.tif 000005
【図４】
2007236712.tif 000006
【図５】
2007236712.tif 000007
【図６】
2007236712.tif 000008
【図７】
2007236712.tif 000009
【図８】
2007236712.tif 000010
【図９】
2007236712.tif 000011